(57)【要約】  複数のベースバンドユニットについて、どの無線アクセス技術がそれぞれのベースバンドユニットによってサポートされているかを１又は２以上のパラメータに依存して決定するステップと、ベースバンドユニットをそれぞれの無線アクセス技術で動作させるステップとを含む方法を提供する。【選択図】図４
2017511094.tif 000002
【特許請求の範囲】
【請求項１】
複数のベースバンドユニットについて、どの無線アクセス技術がそれぞれのベースバンドユニットによってサポートされているかを１又は２以上のパラメータに依存して決定するステップと、
前記ベースバンドユニットを前記それぞれの無線アクセス技術で動作させるステップと、
を含むことを特徴とする方法。
【請求項２】
前記１又は２以上のパラメータは、前記それぞれの無線アクセス技術によってサポートされているセルの数を含む、
請求項１に記載の方法。
【請求項３】
前記１又は２以上のパラメータは、前記それぞれの無線アクセス技術をサポートするために必要な前記複数のベースバンドユニットの数を含む、
請求項１又は２に記載の方法。
【請求項４】
前記パラメータは、基地局インターフェイスプロトコルに関連する、
請求項１から３のいずれかに記載の方法。
【請求項５】
前記決定された無線アクセス技術のモードに従って前記ベースバンドユニットを動作させるように構成されたソフトウェアを取得するステップを含む、
請求項１から４のいずれかに記載の方法。
【請求項６】
前記１又は２以上のパラメータは、無線アクセス技術の優先順位付け情報を含む、
請求項１から５のいずれかに記載の方法。
【請求項７】
前記無線アクセス技術の優先順位付け情報を用いて、前記複数のベースバンドユニットのうちのどのベースバンドユニットを前記それぞれの無線アクセス技術で最初に動作させるかを決定するステップを含む、
請求項６に記載の方法。
【請求項８】
前記無線アクセス技術の優先順位付け情報を用いて、特定の無線アクセス技術をサポートするために必要でない少なくとも１つのベースバンドユニットについて、どの無線アクセス技術がそれぞれのベースバンドユニットによってサポートされているかを決定するステップを含む、
請求項６又は７に記載の方法。
【請求項９】
前記パラメータをネットワーク管理ノードから受け取るステップを含む、
請求項１から８のいずれかに記載の方法。
【請求項１０】
前記ベースバンドユニットは、複数の異なる無線アクセス技術又は無線アクセス技術のバージョンをサポートすることができる、
請求項１から９のいずれかに記載の方法。
【請求項１１】
前記無線アクセス技術は、３Ｇのバージョン及びＬＴＥのバージョンの一方である、
請求項１から１０のいずれかに記載の方法。
【請求項１２】
複数のベースバンドユニットについてどの無線アクセス技術がそれぞれのベースバンドユニットによってサポートされているかを決定する際に使用するパラメータをネットワーク管理ノードにおいて受け取るステップと、
前記パラメータを基地局装置に送信するステップと、
を含むことを特徴とする方法。
【請求項１３】
前記１又は２以上のパラメータは、前記それぞれの無線アクセス技術によってサポートされているセルの数、前記それぞれの無線アクセス技術をサポートするために必要な前記複数のベースバンドユニットの数、及び無線アクセス技術の優先順位付け情報のうちの少なくとも１つを含む、
請求項１２に記載の方法。
【請求項１４】
前記無線アクセス技術は、３Ｇのバージョン及びＬＴＥのバージョンの一方である、
請求項１２又は１３に記載の方法。
【請求項１５】
少なくとも１つのプロセッサと、
１又は２以上のプログラムのためのコンピュータコードを含む少なくとも１つのメモリと、
を備えた装置であって、前記少なくとも１つのメモリ及び前記コンピュータコードは、前記少なくとも１つのプロセッサと共に、少なくとも、
複数のベースバンドユニットについて、どの無線アクセス技術がそれぞれのベースバンドユニットによってサポートされているかを１又は２以上のパラメータに依存して決定することと、
前記それぞれのベースバンドユニットを前記それぞれの無線アクセス技術で動作させることと、
を前記装置に行わせるように構成される、
ことを特徴とする装置。
【請求項１６】
前記１又は２以上のパラメータは、前記それぞれの無線アクセス技術によってサポートされているセルの数を含む、
請求項１５に記載の装置。
【請求項１７】
前記１又は２以上のパラメータは、前記それぞれの無線アクセス技術をサポートするために必要な前記複数のベースバンドユニットの数を含む、
請求項１５又は１６に記載の装置。
【請求項１８】
前記パラメータは、基地局インターフェイスプロトコルに関連する、
請求項１５から１７のいずれかに記載の装置。
【請求項１９】
前記少なくとも１つのメモリ及びコンピュータコードは、前記決定された無線アクセス技術のモードに従って前記ベースバンドユニットを動作させるように構成されたソフトウェアを取得することを前記装置に行わせるように構成される、
請求項１５から１８のいずれかに記載の装置。
【請求項２０】
前記１又は２以上のパラメータは、無線アクセス技術の優先順位付け情報を含む、
請求項１５から１９のいずれかに記載の装置。
【請求項２１】
前記少なくとも１つのメモリ及びコンピュータコードは、前記無線アクセス技術の優先順位付け情報を用いて、前記複数のベースバンドユニットのうちのどのベースバンドユニットを前記それぞれの無線アクセス技術で最初に動作させるかを決定することを前記装置に行わせるように構成される、
請求項２０に記載の装置。
【請求項２２】
前記少なくとも１つのメモリ及びコンピュータコードは、前記無線アクセス技術の優先順位付け情報を用いて、特定の無線アクセス技術をサポートするために必要でない少なくとも１つのベースバンドユニットについて、どの無線アクセス技術がそれぞれのベースバンドユニットによってサポートされているかを決定することを前記装置に行わせるように構成される、
請求項２０又は２１に記載の装置。
【請求項２３】
前記パラメータをネットワーク管理ノードから受け取ることを含む、
請求項１５から２２のいずれかに記載の装置。
【請求項２４】
前記ベースバンドユニットは、複数の異なる無線アクセス技術又は無線アクセス技術のバージョンをサポートすることができる、
請求項１５から２３のいずれかに記載の装置。
【請求項２５】
前記無線アクセス技術は、３Ｇのバージョン及びＬＴＥのバージョンの一方である、
請求項１５から２４のいずれかに記載の装置。
【請求項２６】
少なくとも１つのプロセッサと、
１又は２以上のプログラムのためのコンピュータコードを含む少なくとも１つのメモリと、
を備えた装置であって、前記少なくとも１つのメモリ及び前記コンピュータコードは、前記少なくとも１つのプロセッサと共に、少なくとも、
複数のベースバンドユニットについてどの無線アクセス技術がそれぞれのベースバンドユニットによってサポートされているかを決定する際に使用するパラメータをネットワーク管理ノードにおいて受け取ることと、
前記パラメータを基地局装置に送信することと、
を前記装置に行わせるように構成される、
ことを特徴とする装置。
【請求項２７】
前記１又は２以上のパラメータは、前記それぞれの無線アクセス技術によってサポートされているセルの数、前記それぞれの無線アクセス技術をサポートするために必要な前記複数のベースバンドユニットの数、及び無線アクセス技術の優先順位付け情報のうちの少なくとも１つを含む、
請求項２６に記載の装置。
【請求項２８】
前記無線アクセス技術は、３Ｇのバージョン及びＬＴＥのバージョンの一方である、
請求項２６又は２７に記載の装置。
【請求項２９】
基地局装置であって、
各々が複数の異なる無線アクセス技術又は無線アクセス技術の異なるバージョンをサポートできる複数のベースバンドユニットと、
前記ベースバンドユニットのうちの１つ又は２つ以上によってどの無線アクセス技術がサポートされているかを１又は２以上のパラメータに依存して決定し、前記ベースバンドユニットを前記それぞれの無線アクセス技術で動作させるように構成されたコントローラと、
を備えることを特徴とする基地局装置。
【請求項３０】
実行時に請求項１から１４のいずれか１項に記載の方法を実行するように構成されたコントローラ実行可能命令を含む、
ことを特徴とするコンピュータプログラム。
【発明の詳細な説明】
【技術分野】
【０００１】
本出願は、方法、装置及びシステムに関し、具体的には、排他的な意味ではないが、ベースバンドリソース管理に関する。
【背景技術】
【０００２】
通信システムは、通信路に関わる様々なエンティティ間にキャリアを提供することにより、ユーザ端末、基地局及び／又はその他のノードなどの２又は３以上のエンティティ間の通信セッションを可能にする設備であると考えることができる。通信システムは、例えば通信ネットワークと、１又は２以上の互換性のある通信装置とによって実現することができる。通信は、例えば、音声、電子メール（ｅメール）、テキストメッセージ、マルチメディア及び／又はコンテンツデータなどの、通信を運ぶデータの通信を含むことができる。提供されるサービスの非限定的な例としては、双方向又は多方向通話、データ通信又はマルチメディアサービス、及びインターネットなどのデータネットワークシステムへのアクセスが挙げられる。
【０００３】
無線通信システムでは、少なくとも２つの局間の通信の少なくとも一部が無線リンクを介して行われる。無線システムの例としては、公衆陸上移動体ネットワーク（ＰＬＭＮ）、衛星通信システム、及び、例えば無線ローカルエリアネットワーク（ＷＬＡＮ）などの様々な無線ローカルネットワークが挙げられる。通常、無線システムはセルに分割することができ、従ってセルラーシステムと呼ばれることが多い。
【０００４】
ユーザは、適当な通信装置又は通信端末によって通信システムにアクセスすることができる。ユーザの通信装置は、ユーザ装置（ＵＥ）と呼ばれることが多い。通信装置は、例えば、通信ネットワークへのアクセス又は他のユーザとの直接通信などの通信を可能にする適切な信号送受信装置を有する。通信装置は、例えばセルの基地局などの局によって提供されるキャリアにアクセスし、このキャリア上で通信の送信及び／又は受信を行うことができる。
【０００５】
通常、通信システム及び関連する装置は、システムに関連する様々なエンティティが何をすることができるか、及びいかにしてこれを行うべきかを示す所与の標準又は仕様に従って動作する。通常は、接続に使用すべき通信プロトコル及び／又はパラメータも定められる。容量需要の増加に伴う問題を解決しようとする試みの例に、ユニバーサル移動体電気通信システム（ＵＭＴＳ）無線アクセス技術のロングタームエボリューション（ＬＴＥ）として知られているアーキテクチャがある。ＬＴＥは、第３世代パートナーシッププロジェクト（３ＧＰＰ）によって標準化の過程にある。３ＧＰＰ  ＬＴＥ仕様の様々な発展段階は、リリースと呼ばれる。標準化の目的は、とりわけ、レイテンシを短縮し、ユーザデータレートを高め、システム容量及びカバレッジを改善し、通信事業者のコストを削減した通信システムを実現することである。以下のいくつかの例では、モバイル通信装置にサービスを提供する無線通信システム又はモバイル通信システムを参照しながら実施形態を説明する。
【発明の概要】
【課題を解決するための手段】
【０００６】
第１の態様では、複数のベースバンドユニットについて、どの無線アクセス技術がそれぞれのベースバンドユニットによってサポートされているかを１又は２以上のパラメータに依存して決定するステップと、ベースバンドユニットをそれぞれの無線アクセス技術で動作させるステップとを含む方法を提供する。
【０００７】
１又は２以上のパラメータは、それぞれの無線アクセス技術によってサポートされているセルの数を含むことができる。
【０００８】
１又は２以上のパラメータは、それぞれの無線アクセス技術をサポートするために必要な複数のベースバンドユニットの数を含むことができる。
【０００９】
これらのパラメータは、基地局インターフェイスプロトコルに関連することができる。
【００１０】
方法は、決定された無線アクセス技術のモードに従ってベースバンドユニットを動作させるように構成されたソフトウェアを取得するステップを含むことができる。
【００１１】
１又は２以上のパラメータは、無線アクセス技術の優先順位付け情報を含むことができる。
【００１２】
方法は、無線アクセス技術の優先順位付け情報を用いて、複数のベースバンドユニットのうちのどのベースバンドユニットをそれぞれの無線アクセス技術で最初に動作させるかを決定するステップを含むことができる。
【００１３】
方法は、無線アクセス技術の優先順位付け情報を用いて、特定の無線アクセス技術をサポートするために必要でない少なくとも１つのベースバンドユニットについて、どの無線アクセス技術がそれぞれのベースバンドユニットによってサポートされているかを決定するステップを含むことができる。
【００１４】
方法は、パラメータをネットワーク管理ノードから受け取るステップを含むことができる。
【００１５】
ベースバンドユニットは、複数の異なる無線アクセス技術又は無線アクセス技術のバージョンをサポートすることができる。
【００１６】
無線アクセス技術は、３Ｇのバージョン及びＬＴＥのバージョンの一方とすることができる。
【００１７】
第２の態様では、複数のベースバンドユニットについてどの無線アクセス技術がそれぞれのベースバンドユニットによってサポートされているかを決定する際に使用するパラメータをネットワーク管理ノードにおいて受け取るステップと、パラメータを基地局装置に送信するステップとを含む方法を提供する。
【００１８】
１又は２以上のパラメータは、それぞれの無線アクセス技術によってサポートされているセルの数、それぞれの無線アクセス技術をサポートするために必要な複数のベースバンドユニットの数、及び無線アクセス技術の優先順位付け情報のうちの少なくとも１つを含むことができる。
【００１９】
これらのパラメータは、基地局インターフェイスプロトコルに関連することができる。
【００２０】
ベースバンドユニットは、複数の異なる無線アクセス技術又は無線アクセス技術のバージョンをサポートすることができる。
【００２１】
無線アクセス技術は、３Ｇのバージョン及びＬＴＥのバージョンの一方とすることができる。
【００２２】
第３の態様では、少なくとも１つのプロセッサと、１又は２以上のプログラムのためのコンピュータコードを含む少なくとも１つのメモリとを備えた装置であって、少なくとも１つのメモリ及びコンピュータコードが、少なくとも１つのプロセッサと共に、少なくとも、複数のベースバンドユニットについて、どの無線アクセス技術がそれぞれのベースバンドユニットによってサポートされているかを１又は２以上のパラメータに依存して決定することと、それぞれのベースバンドユニットをそれぞれの無線アクセス技術で動作させることとを装置に行わせるように構成された装置を提供する。
【００２３】
１又は２以上のパラメータは、それぞれの無線アクセス技術によってサポートされているセルの数を含むことができる。
【００２４】
１又は２以上のパラメータは、それぞれの無線アクセス技術をサポートするために必要な複数のベースバンドユニットの数を含むことができる。
【００２５】
これらのパラメータは、基地局インターフェイスプロトコルに関連することができる。
【００２６】
少なくとも１つのメモリ及びコンピュータコードは、少なくとも１つのプロセッサと共に、決定された無線アクセス技術のモードに従ってベースバンドユニットを動作させるように構成されたソフトウェアを取得することを装置に行わせるように構成することができる。
【００２７】
１又は２以上のパラメータは、無線アクセス技術の優先順位付け情報を含むことができる。
【００２８】
少なくとも１つのメモリ及びコンピュータコードは、少なくとも１つのプロセッサと共に、無線アクセス技術の優先順位付け情報を用いて、複数のベースバンドユニットのうちのどのベースバンドユニットをそれぞれの無線アクセス技術で最初に動作させるかを決定することを装置に行わせるように構成することができる。
【００２９】
少なくとも１つのメモリ及びコンピュータコードは、少なくとも１つのプロセッサと共に、無線アクセス技術の優先順位付け情報を用いて、特定の無線アクセス技術をサポートするために必要でない少なくとも１つのベースバンドユニットについて、どの無線アクセス技術がそれぞれのベースバンドユニットによってサポートされているかを決定することを装置に行わせるように構成することができる。
【００３０】
少なくとも１つのメモリ及びコンピュータコードは、少なくとも１つのプロセッサと共に、パラメータをネットワーク管理ノードから受け取ることを装置に行わせるように構成することができる。
【００３１】
ベースバンドユニットは、複数の異なる無線アクセス技術又は無線アクセス技術のバージョンをサポートすることができる。
【００３２】
無線アクセス技術は、３Ｇのバージョン及びＬＴＥのバージョンの一方とすることができる。
【００３３】
第４の態様では、少なくとも１つのプロセッサと、１又は２以上のプログラムのためのコンピュータコードを含む少なくとも１つのメモリとを備えた装置であって、少なくとも１つのメモリ及びコンピュータコードが、少なくとも１つのプロセッサと共に、少なくとも、複数のベースバンドユニットについてどの無線アクセス技術がそれぞれのベースバンドユニットによってサポートされているかを決定する際に使用するパラメータをネットワーク管理ノードにおいて受け取ることと、パラメータを基地局装置に送信することとを装置に行わせるように構成された装置を提供する。
【００３４】
１又は２以上のパラメータは、それぞれの無線アクセス技術によってサポートされているセルの数、それぞれの無線アクセス技術をサポートするために必要な複数のベースバンドユニットの数、及び無線アクセス技術の優先順位付け情報のうちの少なくとも１つを含むことができる。
【００３５】
これらのパラメータは、基地局インターフェイスプロトコルに関連することができる。
【００３６】
ベースバンドユニットは、複数の異なる無線アクセス技術又は無線アクセス技術のバージョンをサポートすることができる。
【００３７】
無線アクセス技術は、３Ｇのバージョン及びＬＴＥのバージョンの一方とすることができる。
【００３８】
第５の態様では、複数のベースバンドユニットについて、どの無線アクセス技術がそれぞれのベースバンドユニットによってサポートされているかを１又は２以上のパラメータに依存して決定する手段と、ベースバンドユニットをそれぞれの無線アクセス技術で動作させる手段とを備えた装置を提供する。
【００３９】
１又は２以上のパラメータは、それぞれの無線アクセス技術によってサポートされているセルの数を含むことができる。
【００４０】
１又は２以上のパラメータは、それぞれの無線アクセス技術をサポートするために必要な複数のベースバンドユニットの数を含むことができる。
【００４１】
これらのパラメータは、基地局インターフェイスプロトコルに関連することができる。
【００４２】
装置は、決定された無線アクセス技術のモードに従ってベースバンドユニットを動作させるように構成されたソフトウェアを取得する手段を備えることができる。
【００４３】
１又は２以上のパラメータは、無線アクセス技術の優先順位付け情報を含むことができる。
【００４４】
装置は、無線アクセス技術の優先順位付け情報を用いて、複数のベースバンドユニットのうちのどのベースバンドユニットをそれぞれの無線アクセス技術で最初に動作させるかを決定する手段を備えることができる。
【００４５】
装置は、無線アクセス技術の優先順位付け情報を用いて、特定の無線アクセス技術をサポートするために必要でない少なくとも１つのベースバンドユニットについて、どの無線アクセス技術がそれぞれのベースバンドユニットによってサポートされているかを決定する手段を備えることができる。
【００４６】
装置は、パラメータをネットワーク管理ノードから受け取る手段を備えることができる。
【００４７】
ベースバンドユニットは、複数の異なる無線アクセス技術又は無線アクセス技術のバージョンをサポートすることができる。
【００４８】
無線アクセス技術は、３Ｇのバージョン及びＬＴＥのバージョンの一方とすることができる。
【００４９】
第６の態様では、複数のベースバンドユニットについてどの無線アクセス技術がそれぞれのベースバンドユニットによってサポートされているかを決定する際に使用するパラメータをネットワーク管理ノードにおいて受け取る手段と、パラメータを基地局装置に送信する手段とを備えた装置を提供する。
【００５０】
１又は２以上のパラメータは、それぞれの無線アクセス技術によってサポートされているセルの数、それぞれの無線アクセス技術をサポートするために必要な複数のベースバンドユニットの数、及び無線アクセス技術の優先順位付け情報のうちの少なくとも１つを含むことができる。
【００５１】
これらのパラメータは、基地局インターフェイスプロトコルに関連することができる。
【００５２】
ベースバンドユニットは、複数の異なる無線アクセス技術又は無線アクセス技術のバージョンをサポートすることができる。
【００５３】
無線アクセス技術は、３Ｇのバージョン及びＬＴＥのバージョンの一方とすることができる。
【００５４】
これらの方法を実行するように適合されたプログラムコード手段を含むコンピュータプログラムを提供することもできる。このコンピュータプログラムは、搬送媒体を用いて記憶し、及び／又は別様に具体化することができる。
【００５５】
上記では、多くの異なる実施形態について説明した。上述した実施形態のうちのいずれか２つ又は３つ以上を組み合わせることによってさらなる実施形態を提供することもできると理解されたい。
【００５６】
以下、添付図を参照しながらほんの一例として実施形態を説明する。
【図面の簡単な説明】
【００５７】
【図１】基地局及び複数の通信装置を含む通信システム例の概略図である。
【図２】モバイル通信装置例の概略図である。
【図３】いくつかの実施形態を採用するのに適した基地局の例を示す図である。
【図４】基地局プールの例を示す図である。
【図５】いくつかの実施形態による、無線アクセス技術モードを割り当てる方法のフローチャート例を示す図である。
【図６】無線技術モードの割り当てにおいて使用するパラメータを提供する方法のフローチャート例を示す図である。
【図７】制御装置例の概略図である。
【発明を実施するための形態】
【００５８】
実施例を詳細に説明する前に、説明する実施例の基礎となる技術を理解する上で役立つように、図１〜図３を参照しながら無線通信システム及びモバイル通信装置のいくつかの一般的原理について簡単に説明する。
【００５９】
図１に示すような無線通信システム１００では、モバイル通信装置又はユーザ装置（ＵＥ）１０２、１０４、１０５に、少なくとも１つの基地局又は同様の無線送信及び／又は受信ノード又はポイントを介して無線アクセスが提供される。通常、基地局は、少なくとも１つの適当なコントローラ装置により、基地局の動作、及び基地局と通信するモバイル通信装置の管理を可能にするように制御される。コントローラ装置は、基地局の一部とすることも、及び／又は無線ネットワークコントローラなどの独立したエンティティによって提供することもできる。図１には、それぞれのマクロレベル基地局１０６及び１０７を制御する制御装置１０８及び１０９を示している。基地局の制御装置は、他の制御エンティティと相互接続することができる。通常、制御装置は、記憶容量と、少なくとも１つのデータプロセッサとを有する。制御装置及び制御機能は、複数の制御ユニット間で分散することができる。これに加えて、又はこれとは別に、システムによっては、制御装置を無線ネットワークコントローラ内に提供することもできる。
【００６０】
しかしながら、ＬＴＥシステムは、ＲＮＣを提供しないいわゆる「フラットな」アーキテクチャを有していると考えることができ、正確に言えば、（ｅ）ＮＢがシステム・アーキテクチャ・エボリューション・ゲートウェイ（ＳＡＥ−ＧＷ）及びモビリティ管理エンティティ（ＭＭＥ）と通信してこれらのエンティティをプールし、すなわちこれらの複数のノードが複数（組）の（ｅ）ＮＢにサービスを提供することもできる。各ＵＥは、同時にたった１つのＭＭＥ及び／又はＳ−ＧＷによってサービスを提供され、（ｅ）ＮＢは、現在の関連性を追跡する。ＬＴＥにおけるＳＡＥ−ＧＷは、Ｓ−ＧＷ（サービングゲートウェイ）とＰ−ＧＷ（パケットデータネットワークゲートウェイ）とで構成することができる「高レベル」なユーザプレーンコアネットワーク要素である。Ｓ−ＧＷの機能とＰ−ＧＷの機能は独立しており、これらを同じ場所に配置する必要はない。
【００６１】
図１には、基地局１０６及び１０７を、ゲートウェイ１１２を介してさらに広い通信ネットワーク１１３に接続された形で示している。さらなるゲートウェイ機能を提供して別のネットワークに接続することもできる。
【００６２】
また、例えば独立したゲートウェイ機能によって、及び／又はマクロレベル基地局のコントローラを通じて、さらに小型の基地局１１６、１１８及び１２０をネットワーク１１３に接続することもできる。この例では、基地局１１６と１１８がゲートウェイ１１１を介して接続され、基地局１２０は、コントローラ装置１０８を介して接続している。いくつかの実施形態では、さらに小型の局を提供しなくてもよい。
【００６３】
次に、通信装置２００の概略的部分断面図である図２を参照しながら、考えられるモバイル通信装置についてさらに詳細に説明する。このような通信装置は、ユーザ装置（ＵＥ）又はユーザ端末と呼ばれることが多い。適切なモバイル通信装置は、無線信号を送受信できるいずれかの装置によって提供することができる。非限定的な例として、携帯電話機又は「スマートフォン」として知られているものなどの移動局（ＭＳ）又はモバイル装置、無線インターフェイスカード又はその他の無線インターフェイス機能（例えば、ＵＳＢドングル）を有するコンピュータ、無線通信能力を有する携帯情報端末（ＰＤＡ）又はタブレット、或いはこれらのいずれかの組み合わせなどが挙げられる。モバイル通信装置は、例えば、音声、電子メール（ｅメール）、テキストメッセージ及びマルチメディアなどの、通信を運ぶデータの通信を行うことができる。従って、ユーザの通信装置を介して数多くのサービスをユーザに提案し、提供することができる。これらのサービスの非限定的な例としては、双方向又は多方向通話、データ通信又はマルチメディアサービス、或いは単純に、インターネットなどのデータ通信ネットワークシステムへのアクセスが挙げられる。ブロードキャストデータ又はマルチキャストデータをユーザに提供することもできる。これらのコンテンツの非限定的な例としては、ダウンロード、テレビ番組及びラジオ番組、ビデオ、広告、様々な警告及びその他の情報が挙げられる。
【００６４】
モバイル装置２００は、受信に適した装置を介してエアインターフェイス又は無線インターフェイス２０７上で信号を受け取り、無線信号の送信に適した装置を介して信号を送信することができる。図２には、トランシーバ装置をブロック２０６によって概略的に示している。トランシーバ装置２０６は、例えば無線部分と、関連するアンテナ配列とを用いて提供することができる。アンテナ配列は、モバイル装置の内部又は外部に配置することができる。
【００６５】
通常、モバイル装置は、少なくとも１つのデータ処理エンティティ２０１と、少なくとも１つのメモリ２０２と、アクセスシステム及び他の通信装置へのアクセス、並びにこれらとの間の通信の制御を含む、ソフトウェア及びハードウェア支援による実行対象のタスクの実行において使用する他の可能なコンポーネント２０３とを有する。データ処理装置、記憶装置、及びその他の関連する制御装置は、適当な回路基板上及び／又はチップセット内に設けることができる。この特徴部は、参照符号２０４によって示している。ユーザは、キーパッド２０５、音声コマンド、タッチセンサ式スクリーン又はパッド、或いはこれらの組み合わせなどの好適なユーザインターフェイスを用いてモバイル装置の動作を制御することができる。ディスプレイ２０８、スピーカ及びマイクを設けることもできる。さらに、モバイル通信装置は、他の装置への、及び／又は他の装置にハンズフリー装置などの外部アクセサリを接続するための（有線又は無線を問わず）適切なコネクタを有することもできる。
【００６６】
通信装置１０２、１０４及び１０５は、符号分割多元接続（ＣＤＭＡ）又はワイドバンドＣＤＭＡ（ＷＣＤＭＡ(登録商標)）などの様々なアクセス技術に基づいて通信システムにアクセスすることができる。他の非限定的な例としては、時分割多元接続（ＴＤＭＡ）、インターリーブ周波数分割多元接続（ＩＦＤＭＡ）、シングルキャリア周波数分割多元接続（ＳＣ−ＦＤＭＡ）及び直交周波数分割多元接続（ＯＦＤＭＡ）などの周波数分割多元接続（ＦＤＭＡ）、並びにその様々なスキーム、及び空間分割多元接続（ＳＤＭＡ）などが挙げられる。
【００６７】
無線通信システムの一例に、第３世代パートナーシッププロジェクト（３ＧＰＰ）によって標準化されたアーキテクチャがある。最新の３ＧＰＰベースの開発は、ユニバーサル移動体通信システム（ＵＭＴＳ）無線アクセス技術のロングタームエボリューション（ＬＴＥ）と呼ばれることが多い。３ＧＰＰ  ＬＴＥ仕様の様々な開発段階はリリースと呼ばれる。ＬＴＥの最新の開発は、ＬＴＥアドバンスト（ＬＴＥ−Ａ）と呼ばれることが多い。ＬＴＥは、進化型ユニバーサル地上波無線アクセスネットワーク（Ｅ−ＵＴＲＡＮ）として知られているモバイルアーキテクチャを使用する。このようなシステムの基地局は、進化型又は強化型ＮｏｄｅＢ（ｅＮＢ）として知られており、ユーザプレーン無線リンク制御／媒体アクセス制御／物理層プロトコル（ＲＬＣ／ＭＡＣ／ＰＨＹ）終端、及び通信装置に向かう制御プレーン無線リソース制御（ＲＲＣ）プロトコル終端などのＥ−ＵＴＲＡＮ機能を提供する。無線アクセスシステムの他の例としては、無線ローカルエリアネットワーク（ＷＬＡＮ）及び／又はＷｉＭａｘ（ワールドワイド・インターオペラビリティ・フォー・マイクロウェーブ・アクセス）などの技術に基づく、システムの基地局によって提供されるものが挙げられる。
【００６８】
基地局、基地局ノード、アクセスポイント又はトランシーバ基地局（ＢＴＳ）は、ＧＳＭ(登録商標)、（Ｗ）ＣＤＭＡ又はＬＴＥのような無線アクセス技術（ＲＡＴ）に基づくセルラネットワークの一部として広く使用されている。通常、ＢＴＳは、少なくとも１つのベースバンドユニット（ＢＢＵ）と、少なくとも１つの無線ユニット（ＲＵ）又は遠隔無線ユニット（ＲＲＵ）とを含む。ＢＴＳ内では、専用プロトコルを用いて、例えばＢＴＳトポロジ内のＢＢＵと（Ｒ）ＲＵノードとの間で制御プレーンとユーザプレーンのデータ交換が柔軟に処理される。共通公衆無線インターフェイス（ＣＰＲＩ）は、このようなプロトコルの１つである。基地局は、同じ場所に存在することができる。場合によって、同じ場所の基地局がいくつかのハードウェアを共有することも、或いは各基地局が独自のハードウェアを有することもできる。
【００６９】
次に、図３を参照しながらトランシーバ基地局１２についてさらに詳細に説明する。図３では、いくつかの実施形態による基地局１２を開示する。基地局１２は、コアネットワークとの通信などのシステム動作を実行できる少なくとも１つのベースバンドユニット（ＢＢＵ）１０１を含む。いくつかの実施形態では、トランシーバ基地局１２が、少なくとも１つのＲＦユニット（ＲＵ）又は遠隔ＲＦユニット（ＲＲＵ）１０３を含む。図３に示す例では、トランシーバ基地局１２が、１０３１、１０３２及び１０３Ｎで示すＮ個のＲＦユニットを含む。ベースバンドユニットＢＢＵ１０１は、規定のインターフェイスを介して無線周波数ユニット（ＲＵ）／遠隔無線ユニット（ＲＲＵ）と通信する。無線周波数ユニット１０３は、ベースバンド信号を、無線ネットワークを介した送信に適したフォーマットに変換するように構成される。無線周波数ユニット１０３は、無線送信のための信号をアンテナシステム１０５に送る。アンテナシステム１０５は、複数のアンテナを含む。いくつかの実施形態では、無線周波数ユニットがベースバンドユニットから分離しているが、無線周波数ユニットとベースバンドユニットを同じネットワークエンティティに含めることもできる。他のいくつかの実施形態では、アンテナシステム１０５と無線周波数ユニット１０３を同じネットワークエンティティに含めることもできる。これらの複数のアンテナは、ビーム形成無線送信の目的で共に使用することができる。
【００７０】
ＬＲＣ（Ｌｉｑｕｉｄ  Ｒａｄｉｏ  Ｃｌｏｕｄ）は、マルチモード無線アクセスをサポートできる製品プラットフォームである。例えば、ＬＲＣは、ＬＴＥと３Ｇの両方をサポートすることができ、既存の３Ｇネットワークの近代化のために使用することができる。ＬＲＣは、他の無線アクセス技術又は他の無線アクセス技術バージョンをサポートすることもでき、例えばＬＴＥ−Ａサービスを提供することもできる。
【００７１】
ＬＲＣは、ＣＰＲＩ参照アーキテクチャに従い、３Ｇモード及びＬＴＥモードの両方でＢＴＳのＢＢＵを提供することができる。ＬＲＣの全てハードウェアは、３ＧとＬＴＥを同時にサポートすることができる。これにより、効率的なスペクトル共有を可能にすることができる。
【００７２】
ＬＲＣプラットフォームでは、１つの基地局が、ベースバンドリソースプールを実装して動的にリソースを割り当てることにより、選択された領域又は地域にわたってより広範囲のカバレッジを提供することができる。この場合、基地局は、マルチモード無線リソースを動的に処理し、マルチモード端末及びユーザスループット又はデータスループットの変化をサポートするように適合する。
【００７３】
図４に示すように、ベースバンドリソースは、ＢＢＵプール１０１Ｎによって共有される。ＢＢＵのハードウェアは、ＢＢＵがＬＴＥを処理するか、それとも３Ｇを処理するかに関わらず、全ての無線ポート１０３に接続することができる。図４に示す通信システムは一例にすぎず、ＬＴＥ及び３ＧはＲＡＴの例である。ＢＢＵプール１０１Ｎは、Ｓ−ＧＷ及びＭＭＥを含む進化型パケットコア（ＥＰＣ）１２０と相互連結する。
【００７４】
オペレータは、ネットワークシステムを設計する際に、例えばネットワークシステムの目標サービス負荷に従って各ＢＢＵにＲＡＴモードを割り当てる。ＢＢＵは、その割り当てられたＲＡＴモードに依存して異なるソフトウェアを実行する。
【００７５】
図５に示すように、ＲＡＴセル数、ＲＡＴ  ＢＢＵ、ＲＡＴ優先度、及び利用可能なハードウェアなどのパラメータに従ってＢＢＵのＲＡＴモードを動的に選択する方法を提供する。これにより、様々な混合帯域幅（ＢＷ）構成をサポートしてリソースの利用を改善することができる。
【００７６】
第１のステップＳ１は、複数のＢＢＵについて、どのＲＡＴがそれぞれのＢＢＵによってサポートされているかを１又は２以上のパラメータに依存して決定することを含む。
【００７７】
第１の例では、ＢＢＵの役割（例えば、３Ｇ又はＬＴＥ）を選択し、必要な３Ｇ／ＬＴＥセルの数、搭載されたＢＢＵカードの数、及び各カードスロットの位置に依存して、選択されたＲＡＴのソフトウェアファイルをＢＢＵカードの起動タイミングにおいてロードする。３Ｇ／ＬＴＥセルの数は、システム構成を記述するＳＤＡＴＡ（システムデータ）によって提供することができる。
【００７８】
オペレータ又はネットワーク要素は、異なる無線アクセス技術（例えば、３Ｇ及びＬＴＥ）のためのセル数を定めることができる。
【００７９】
或いは、この異なる無線アクセス技術のためのセル数は、ＲＥＣ（無線制御部）とＲＥ（無線部）との間で使用されるインターフェイス、このインターフェイス上で使用されるＲＡＴのキャリア数、存在するセル数、及びＢＢＵがサポートするＲＡＴの最大セル数に依存して基地局において定めることもできる。１つの例では、必要な３Ｇセル及びＬＴＥセルの数が、全てのＣＰＲＩリンクに与えられるパラメータを用いて決定される。ＣＰＲＩは、ＲＥＣ（無線制御部）とＲＥとの間のインターフェイスであり、ＲＥＣとＲＥ（無線部）との間のリンクはＣＰＲＩリンクとして知られている。別のプロトコルとしては、ＯＢＳＡＩ−ＰＲ３プロトコルが挙げられる。この目的で他のインターフェイスを使用することもできる。ＲＥ及びＲＥＣは、ＲＲＵ及びＢＢＵに対応することができる。セル数は、ＲＡＴモード割り当て器（ＲＭＡ）において定めることができる。ＲＭＡは、基地局におけるソフトウェア管理のためのソフトウェアモジュールとすることができる。ＲＭＡは、ＢＴＳのＯＡＭ（運用、管理及び保守）コンポーネントに属することができる。ＣＰＲＩリンク当たりのパラメータは、構成ファイルに記述することができる。この時、セル数は以下のように求められる。
【００８０】
ＲＭＡは、例えば、ＳＤＡＴＡから以下のパラメータを受け取ることができる。
−  優先ＲＡＴ
−  ３Ｇ  ＣＰＲＩリンクの数：このパラメータは、３Ｇ  ＣＰＲＩリンクが使用されているかどうかを示し、Ｎ3GCpriUsedとして示される
−  ３Ｇ  キャリアの数：このパラメータは、このＣＰＲＩ上でどれほどのキャリアが使用されているかを示し、Ｎ3GCarrierUsedとして示される
−  存在するセル数：このパラメータはセル設定として使用され、ＮCellPresenceとして示される
−  ＢＢＵ当たりの最大３Ｇセル数：このパラメータは、１つのＢＢＵがサポートする最大３Ｇセル数として使用され、ＮMax3GcellSupportPerBBUとして示される
−  ＢＢＵ当たりの最大ＬＴＥセル数：このパラメータは、１つのＢＢＵがサポートする最大ＬＴＥセル数として使用され、ＮMaxLTEcellSupportPerBBUとして示される
【００８１】
ＲＭＡは、これらのパラメータに依存してセル数を計算することができる。
Ｎ3GCell allocated＝Ｎ3GCpriUsed＊Ｎ3GCarrierUsed
ＮLTECellallocated＝ＮCellPresence
【００８２】
ＲＭＡは、各ＲＡＴに必要なＢＢＵカードの数を以下のように求めることができる。
【００８３】
ＲＭＡは、以下の変数を定め、その初期値を設定することができる。
ＮLTEallocated＝０（ＬＴＥサービスを提供すべきＢＢＵカードの数）
Ｎ3Gallocated＝０（３Ｇサービスを提供すべきＢＢＵカードの数）
Ｎremaining＝ＮBBUinstalled（ＬＴＥ又は３Ｇに必須でない余分なＢＢＵカードの数）
【００８４】
ＲＭＡは、各ＲＡＴに必要なＢＢＵカードの数を計算することができる。
Ｎ3Gallocated＝ｍｏｄ（Ｎ3GCell allocated，ＮMax3GcellSupportPerBBU）
ＮLTEallocated＝ｍｏｄ（ＮLTECell allocated，ＮMaxLTEcellSupportPerBBU）
【００８５】
例えば、３ＧのためのＢＢＵ数及びＬＴＥのためのＢＢＵ数を計算すると、１つのＢＢＵによってサポートされる３Ｇセルの最大数、及び１つのＢＢＵによってサポートされるＬＴＥセルの最大数を取得することができる。これに加えて、又はこれとは別に、ＢＢＵの一部を特定のＲＡＴのために予約することもできる（例えば、１つの例では、３Ｇのために２つのＢＢＵが予約され、従って３Ｇに割り当てられたカードの数にこれらが加算され、残りのＢＢＵカードの数から減算される）。
【００８６】
オペレータによって提供された、又はＣＰＲＩパラメータに依存して決定されたセル数に基づいて、各ＲＡＴに必要なＢＢＵの数を求める。残りのＢＢＵカードが存在する場合、「優先ＲＡＴ」に従って、残りのＢＢＵにＲＡＴモードを割り当てる。
【００８７】
表１に、優先ＲＡＴに従うＢＢＵモード割り当ての例を示す。
2017511094.tif 000003
表１
【００８８】
これとは別に、又はこれに加えて、特定のＲＡＴ（例えば、ＷＣＤＭＡ(登録商標)、ＬＴＥ）のためのセル数の代わりに、特定のＲＡＴ（例えば、ＷＣＤＭＡ(登録商標)、ＬＴＥ）に必要なＢＢＵカードの数を用いてＢＢＵ  ＲＡＴ要件を決定することもできる。各ＲＡＴモードに必要なＢＢＵの数は、オペレータ又はネットワーク要素が定めることができる。特定のＲＡＴのために予約されるＢＢＵの数も、オペレータ又はネットワーク要素が定めることができる。
【００８９】
１つの例では、ＲＭＡが、例えばＳＤＡＴＡから以下のパラメータを受け取ることができる。
−  優先ＲＡＴ
−  ＮLTErequestedとして示される、ＬＴＥサービスのために求められるＢＢＵ数
−  Ｎ3Grequestedとして示される、３Ｇサービスのために求められるＢＢＵ数
【００９０】
３Ｇのために２つのＢＢＵカードを予約する例では、ＲＭＡが、２つのＢＢＵカードを除いた必要な３Ｇ  ＢＢＵカードの数を表す以下の変数を定めることができる。
Ｎ3GrequestedWoSlot08＝Ｍａｘ（Ｎ3Grequested−２，０）
【００９１】
ＲＭＡは、搭載されたＢＢＵカードに基づいて以下の変数を定め、これらの変数の正確な値を計算することができる。
−  ＮBBUinstalled：搭載されたＢＢＵカードの数
−  ＮBBUinstalledOnSlot08：スロット０及び８（例えば、ＢＢＵ０及びＢＢＵ８）に搭載されたＢＢＵカードの数
【００９２】
ＲＭＡは、ＬＲＣがＬＴＥサービスのみを提供するか、それとも３ＧサービスとＬＴＥサービスの両方を提供するかを示す「ＬＲＣ動作モード」を以下のように決定することができる。
−  Ｎ3Grequested＝０の場合、ＬＲＣ動作モードは「ＬＴＥシングルモード」である。
−  それ以外の場合、ＬＲＣ動作モードは「デュアルモード」である。
【００９３】
「ＬＲＣ動作モード」は、マルチモードとすることもできる。すなわち、ＬＲＣ動作モードは、３ＧサービスとＬＴＥサービスを両方同時に提供することもできる。
【００９４】
ＲＭＡは、以下の変数を定めてこれらの初期値を設定することにより、各ＲＡＴに必要なＢＢＵカードの数を決定することができる。
ＮLTEallocated＝０（ＬＴＥサービスを提供すべきＢＢＵカードの数）
Ｎ3Gallocated＝０（３Ｇサービスを提供すべきＢＢＵカードの数）
Ｎremaining＝ＮBBUinstalled（ＬＴＥ又は３Ｇに必須でない余分なＢＢＵカードの数）
【００９５】
ＲＭＡは、各ＲＡＴに必要なＢＢＵカードの数をＬＲＣ動作モードに基づいて計算することにより、各ＲＡＴに必要なＢＢＵカードの数を決定することができる。
【００９６】
動作モードが「ＬＴＥシングルモード」である場合、全ての搭載されたＢＢＵカードがＬＴＥのために予約される。
−  ＮLTEallocated＝ＮBBUinstalled
動作モードが「デュアルモード」である場合、
搭載された３Ｇ固有のＢＢＵカード（例えば、ＢＢＵ０及びＢＢＵ８）の数が３Ｇのために予約され、すなわち３Ｇに割り当てられたカードの数にこれらが加算され、残りのＢＢＵカードの数から減算される。
−  Ｎ3Gallocated＋＝ＮBBUinstalledOnSlot08
【００９７】
最低限必要なＢＢＵカードが各ＲＡＴのために予約され、例えば、各ＲＡＴに割り当てられたカードの数にこれらが加算され、残りのＢＢＵカードの数から減算される。カードは、最初に優先ＲＡＴに対して予約される。
−  Ｎ3Gallocated＋＝ＭＩＮ｛Ｎ3GrequestedWoSlot08，Ｎremaining｝
−  ＮLTEallocated＋＝ＭＩＮ｛ＮLTErequested，Ｎremaining｝
【００９８】
残りのＢＢＵカードの数は、優先ＲＡＴに依存して各ＲＡＴのために予約される。優先ＲＡＴが３Ｇであり、３Ｇサービスに求められるＢＢＵの数（Ｎ３Ｇｒｅｑｕｅｓｔｅｄ）が２以上である場合、１つの残りのＢＢＵカードが３Ｇのために予約され、残りがＬＴＥのために予約される。
−  Ｎ3Gallocated＋＝１
−  ＮLTEallocated＋＝Ｎremaining
【００９９】
優先ＲＡＴがＬＴＥである場合、１つの予備のＢＢＵカードがＬＴＥのために予約され、３Ｇサービスに求められるＢＢＵの数（Ｎ３Ｇｒｅｑｕｅｓｔｅｄ）が２以上である場合、１つの予備のＢＢＵカードが３Ｇのために予約され、残りがＬＴＥのために予約される。
−  ＮLTEallocated＋＝１
−  Ｎ3Gallocated＋＝１
−  ＮLTEallocated＋＝Ｎremaining
【０１００】
ＲＭＡは、各搭載され予約されたＢＢＵカードをＬＴＥ又は３Ｇのいずれかに割り当てる。他のＲＡＴのためにＢＢＵカードを予約することもできる。同じ方法を使用することにより、異なるＲＡＴ及び／又は異なるＲＡＴバージョンにＲＡＴの割り当てを行うこともできる。特定のＲＡＴ又はＲＡＴバージョンのために予約されるＢＢＵカードの数は、上記の例のような２とは異なってもよく、ゼロとすることもできる。この方法は、２つよりも多くの異なるＲＡＴモードを割り当てるように拡張することもできる。
【０１０１】
実施形態では、ＲＡＴの優先度パラメータである「優先ＲＡＴ」がオペレータによって設定される。他の実施形態では、ＲＡＴの優先度を基地局において設定することができる。「優先ＲＡＴ」は、オペレータの動作制御方策によって決定される。ネットワークの負荷、ネットワーク内で使用されるサービスのタイプ、時間、課金、カバレッジ範囲内のイベント、エネルギー消費量、及び／又はＨＷリソースの負荷に起因して、あるＲＡＴを別のＲＡＴに対して優先的に使用することもできる。どちらのＲＡＴを優先することもできる。場合によっては、３ＧリソースとＬＴＥリソースが均等に分配されず、従ってこの背景では、このパラメータが上昇する。
【０１０２】
ＢＢＵのＲＡＴモードは、ＲＡＴの優先度及び各ＲＡＴに必要なＢＢＵに基づいて割り当てることができる。マルチモード基地局では、デュアルモードを使用する（例えば、ＬＴＥと３Ｇを両方同時にサポートする）際に、「優先ＲＡＴ」のパラメータを用いて、予約されるＢＢＵリソースの割り当て方法を示す。１つの例では、（例えば、負荷に依存して）さらなるセルが必要な場合には「残りのＢＢＵカード」を使用することができ、このＢＢＵのためのＲＡＴのタイプを優先度パラメータに基づいて決定することができる。
【０１０３】
１つの例では、さらなるＢＢＵカードが基地局に加わった場合に、ＲＡＴのタイプを優先度パラメータに基づいて決定することができる。
【０１０４】
次に、図５の方法のステップ２において、決定された無線アクセス技術でＢＢＵを動作させる。ＢＢＵの起動タイミングにおいて、構成ファイルが必要とする３Ｇ／ＬＴＥセルの数、必要な３Ｇ／ＬＴＥ  ＢＢＵの数、搭載されたＢＢＵカードの数、及び各カードスロットの位置のうちの１つ又は２つ以上に応じて、選択されたＲＡＴのソフトウェアファイルをロードすることができる。
【０１０５】
従って、１つの実施形態では、セル数、ＲＡＴの優先度、及び利用可能なハードウェアに基づいて、ＢＢＵに適切なＲＡＴモードが割り当てられる。セル数、ＲＡＴの優先度、又は利用可能なハードウェアが変化した際には、ＲＡＴモードを動的に調整することができる。これらの動作は、基地局よりもむしろ特定のＢＢＵ装置のみをリセットするものである。
【０１０６】
マルチモード基地局のＢＢＵに対応するＲＡＴモードに柔軟性がある場合、ＬＲＣは、第１のロジックタイプよりもむしろ選択されたＲＡＴモードによって正しいソフトウェアを取得し、基地局の起動過程を高速化することができる。
【０１０７】
加入者容量の増加によってネットワーク容量の拡大が必要になった場合には、二次的なネットワーク計画を単純化して、ネットワーク容量の拡大コストを削減することができる。ＢＢＵプールを有するクラウド基地局では、ネットワーク容量の拡大が、オペレータにとって効率的なものになり得る。
【０１０８】
図６に、管理エンティティの動作方法を示す。第１のステップＴ１において、管理エンティティが、３Ｇ／ＬＴＥセルの数、３Ｇ／ＬＴＥ  ＢＢＵの数、及び／又は優先ＲＡＴなどのパラメータを受け取る。管理エンティティは、これらのパラメータをオペレータ又は構成ファイルから受け取ることができる。
【０１０９】
第２のステップＴ２において、管理エンティティは、例えばＣＰＲＩ又はＯＢＳＡＩ−ＰＲ３プロトコル、或いは別のインターフェイスを介してこれらのパラメータを基地局に示す。
【０１１０】
この方法は、図５に示すような制御装置に実装することができる。図５には、例えば、基地局などのアクセスシステムの局に結合された、及び／又はこれらの局を制御する、通信システムの制御装置の例を示している。いくつかの実施形態では、基地局が、独立した制御装置を含む。他の実施形態では、制御装置を、無線ネットワークコントローラなどの別のネットワーク要素とすることができる。制御装置は、オペレータがＮｅｔＡｃｔ  ＯＳＳなどのネットワーク構成を管理できるようにする装置とすることができる。いくつかの実施形態では、各基地局が、このような制御装置と、無線ネットワークコントローラにおいて提供される制御装置とを有することができる。制御装置１０９は、システムのサービスエリア内の通信を制御するように構成することができる。制御装置１０９は、少なくとも１つのメモリ３０１と、少なくとも１つのデータ処理ユニット３０２、３０３と、入力／出力インターフェイス３０４とを含む。制御装置は、このインターフェイスを介して基地局の受信機及び送信機に結合することができる。例えば、制御装置１０９は、制御機能を提供する適当なソフトウェアコードを実行するように構成することができる。
【０１１１】
なお、ＬＴＥ及び３Ｇに関連して実施形態を説明したが、マルチモード無線アクセスをサポートする他のあらゆる通信システムにも同様の原理を適用することができる。例えば、この方法は、２つよりも多くのＲＡＴモードを割り当てるように適合することができる。ＬＴＥ又は３Ｇの一方又は両方は、１又は２以上の他の技術に置き換えることもできる。これらの他の技術は、同じ技術の異なるバージョンとすることができる。従って、上記では、無線ネットワーク、技術及び標準のいくつかのアーキテクチャ例を参照しながらいくつかの実施形態を一例として説明したが、実施形態は、本明細書で図示し説明した以外のいずれかの好適な形態の通信システムにも適用することができる。
【０１１２】
また、上記では実施形態例について説明したが、本発明の範囲から逸脱することなく、開示した解決策に複数の変更及び修正を行うこともできる。
【０１１３】
一般に、様々な実施形態は、ハードウェア又は専用回路、ソフトウェア、ロジック、又はこれらのいずれかの組み合わせで実装することができる。本発明のいくつかの態様をハードウェアで実装する一方で、他の態様をコントローラ、マイクロプロセッサ、又はその他のコンピュータ装置によって実行できるファームウェア又はソフトウェアで実装することもできるが、本発明はそのように限定されるものではない。本発明の様々な態様は、ブロック図、フロー図として図示し説明していることも、又は他の何らかの図形表示を用いて図示し説明していることもあるが、本明細書で説明したこれらのブロック、装置、システム、技術又は方法は、非限定的な例として、ハードウェア、ソフトウェア、ファームウェア、専用回路又はロジック、汎用ハードウェア又はコントローラ又はその他のコンピュータ装置、或いはこれらの何らかの組み合わせで実装することもできると十分に理解されたい。
【０１１４】
本発明の実施形態は、プロセッサエンティティなどのモバイル装置のデータプロセッサによって実行可能なコンピュータソフトウェアによって実装することも、又はハードウェアによって実装することも、或いはソフトウェアとハードウェアとの組み合わせによって実装することもできる。
【０１１５】
さらに、この点に関し、図中のロジックフローのあらゆるブロックは、プログラムステップ、相互に接続された論理回路、ブロック及び機能、又はプログラムステップと論理回路、ブロック及び機能との組み合わせを表すことができる。ソフトウェアは、メモリチップ、又はプロセッサ内に実装されるメモリブロックなどの物理的媒体、ハードディスク又はフロッピーディスクなどの磁気媒体、並びに、例えばＤＶＤ及びそのデータ変種であるＣＤなどの光学媒体に記憶することができる。
【０１１６】
メモリは、ローカル技術環境に適したいずれのタイプのものであってもよく、半導体ベースの記憶装置、磁気記憶装置及びシステム、光記憶装置及びシステム、固定メモリ及び取り外し可能メモリなどのあらゆる好適なデータ記憶技術を用いて実装することができる。データプロセッサは、ローカル技術環境に適したいずれのタイプのものであってもよく、非限定的な例として、１又はそれ以上の汎用コンピュータ、専用コンピュータ、マイクロプロセッサ、デジタルシグナルプロセッサ（ＤＳＰ）、特定用途向け集積回路（ＡＳＩＣ）、ＦＰＧＡ、ゲートレベル回路、及びマルチコアプロセッサアーキテクチャに基づくプロセッサを挙げることができる。
【０１１７】
本発明の実施形態は、集積回路モジュールなどの様々なコンポーネントにおいて実施することができる。集積回路の設計は、概して高度に自動化されたプロセスである。論理レベルの設計を、半導体基板上にエッチングして形成できる状態の半導体回路設計に変換するには、複雑かつ強力なソフトウェアツールを利用することができる。
【０１１８】
上記の説明では、本発明の例示的な実施形態の完全かつ有益な説明を非限定的な例として行った。しかしながら、上述の説明を添付図面及び添付の特許請求の範囲と併せて読めば、当業者には様々な修正及び適応が明らかになるであろう。しかしながら、添付の特許請求の範囲に定める本発明の範囲には、本発明の教示のこのような及び同様の全ての修正も含まれる。実際に、１又は２以上の実施形態を上述した他の実施形態のいずれかと組み合わせたものを含むさらなる実施形態も存在する。
【符号の説明】
【０１１９】
１０１Ｎ  ＢＢＵプール
１０３  無線ポート
１２０  進化型パケットコア（ＥＰＣ）
【図１】
2017511094.tif 000004
【図２】
2017511094.tif 000005
【図３】
2017511094.tif 000006
【図４】
2017511094.tif 000007
【図５】
2017511094.tif 000008
【図６】
2017511094.tif 000009
【図７】
2017511094.tif 000010
【国際調査報告】
2017511094.tif 000011
2017511094.tif 000012